(57)【特許請求の範囲】
【請求項１】
レンチキュラーシートとフレネルレンズとが貼り合わせて構成されるスクリーンの背面へ映像光を投射する背面投射型表示装置であって、
前記スクリーンを保持する保持部材を備え、
前記レンチキュラーシートは、前記スクリーンのうち前記映像光が出射される面側に設けられ、
前記レンチキュラーシートは、伸縮性を有する少なくとも１つの保持フィルムにより、前記保持部材に固定され、
前記背面投射型表示装置は、さらに、
少なくとも前記保持フィルムを介して、前記スクリーンの側面である、前記レンチキュラーシートの側面および前記フレネルレンズの側面を覆うように設けられた粘着テープを備え、
前記保持フィルムの形状は、長尺状であり、
前記保持フィルムの長手方向の中央部は、当該保持フィルムに対するねじれの力を吸収する形状を有する
背面投射型表示装置。
【請求項２】
前記保持フィルムの長手方向の中央部の幅は、当該保持フィルムの長手方向の端部の幅より小さい
請求項１に記載の背面投射型表示装置。
【請求項３】
前記保持フィルムの長手方向の中央部には、スリットが設けられる
請求項１に記載の背面投射型表示装置。
【請求項４】
平面視における前記スクリーンの形状は、長方形であり、
前記レンチキュラーシートは、複数の前記保持フィルムにより、前記保持部材に固定され、
前記複数の保持フィルムは、前記長方形の２つの短辺の各々の中央部と、当該長方形の２つの長辺の各々の中央部と、当該２つの短辺の各々の両端部とに設けられる
請求項１から３のいずれか１項に記載の背面投射型表示装置。
【発明の詳細な説明】
【技術分野】
【０００１】
本発明は、複数のシート状部材から構成される透過型スクリーンの背面へ映像光を投射する背面投射型表示装置に関する。
【背景技術】
【０００２】
近年、監視、インフォメーション用途等として大型ディスプレーが注目されている。大画面を形成する装置としては、複数の背面投射型表示装置（リア投射型プロジェクター）を上下左右に組み合わせて構成されるマルチビジョンが一般的である。当該背面投射型表示装置は、投射ユニットからの映像光を透過型スクリーンの背面へ投射して、当該映像光に基づく映像を当該透過型スクリーンに表示する装置である。
【０００３】
背面投射型表示装置に使用される当該透過型スクリーンは、一般的に、複数のシート状部材から構成される。そのため、複数のシート状部材から構成される透過型スクリーンを保持（支持）する技術が重要である。
【０００４】
特許文献１には、複数のシート状部材から構成されるスクリーンと保持板との十分な連結強度を得るための技術（以下、「関連技術Ａ」ともいう）が開示されている。具体的には、関連技術Ａでは、スクリーンを構成する複数のシート状部材の一部であるフレネルレンズの外周端面に切欠形状部が成形される。当該切欠形状部と保持板とが嵌合することにより、フレネルレンズは保持板に固定される。
【０００５】
また、特許文献２には、可撓性を有するスクリーン保持部材により、複数のスクリーン構成部材（シート状部材）から構成される透過型スクリーンを支持する技術（以下、「関連技術Ｂ」ともいう）が開示されている。
【先行技術文献】
【特許文献】
【０００６】
【特許文献１】特開２００６−０９８５３５号公報（図２）
【特許文献２】特許第５１０６２４９号公報（図３）
【発明の概要】
【発明が解決しようとする課題】
【０００７】
しかしながら、関連技術Ａ、Ｂでは、以下の問題点がある。具体的には、関連技術Ａ、Ｂで保持（支持）されるスクリーンは、レンチキュラーシートとフレネルレンズとが貼り合わせて構成される。レンチキュラーシートおよびフレネルレンズは、アクリル等の樹脂で成形されている。
【０００８】
そのため、レンチキュラーシートおよびフレネルレンズは、外気の状態（温度、湿度）の変化により伸縮する。特に、レンチキュラーシートは外気に直接触れる。したがって、外気の状態（温度、湿度）の変化により、レンチキュラーシートは、フレネルレンズよりも大きく伸縮する。その結果、一時的に、レンチキュラーシートのサイズとフレネルレンズのサイズとが異なった状態になり、スクリーンの側面に段差が発生する。当該段差が発生した場合、スクリーンの側面に設けられ、レンチキュラーシートとフレネルレンズとを貼り合わせる粘着テープが剥がれる。この場合、以下のような不具合Ａが発生する。
【０００９】
当該不具合Ａは、レンチキュラーシートとフレネルレンズとの結合状態が悪化するという不具合である。具体的には、不具合Ａは、例えば、レンチキュラーシートがフレネルレンズから剥がれるという不具合である。
【００１０】
本発明は、このような問題を解決するためになされたものであり、スクリーンの側面の段差の発生に伴う、粘着テープの剥がれが発生した状態においても、レンチキュラーシートとフレネルレンズとの結合状態が悪化することを抑制することが可能な背面投射型表示装置を提供することを目的とする。
【課題を解決するための手段】
【００１１】
上記目的を達成するために、本発明の一態様に係る背面投射型表示装置は、レンチキュラーシートとフレネルレンズとが貼り合わせて構成されるスクリーンの背面へ映像光を投射する。前記背面投射型表示装置は、前記スクリーンを保持する保持部材を備え、前記レンチキュラーシートは、前記スクリーンのうち前記映像光が出射される面側に設けられ、前記レンチキュラーシートは、伸縮性を有する少なくとも１つの保持フィルムにより、前記保持部材に固定され、前記背面投射型表示装置は、さらに、少なくとも前記保持フィルムを介して、前記スクリーンの側面である、前記レンチキュラーシートの側面および前記フレネルレンズの側面を覆うように設けられた粘着テープを備え、前記保持フィルムの形状は、長尺状であり、前記保持フィルムの長手方向の中央部は、当該保持フィルムに対するねじれの力を吸収する形状を有する。
【発明の効果】
【００１２】
本発明によれば、前記レンチキュラーシートは、伸縮性を有する保持フィルムにより、前記保持部材に固定される。ここで、仮に、レンチキュラーシートの収縮により、スクリーンの側面に段差が発生し、当該段差の発生に伴い、粘着テープの剥がれが発生したとする。
【００１３】
この場合においても、保持フィルムが伸縮性を有するため、当該保持フィルムにより、レンチキュラーシートが前記保持部材に固定された状態が維持され易い。したがって、レンチキュラーシートとフレネルレンズとの結合状態が悪化することを抑制することができる。すなわち、スクリーンの側面の段差の発生に伴う、粘着テープの剥がれが発生した状態においても、レンチキュラーシートとフレネルレンズとの結合状態が悪化することを抑制することができる。
【図面の簡単な説明】
【００１４】
【図１】本発明の実施の形態１に係る背面投射型表示装置の斜視図である。
【図２】本発明の実施の形態１に係る背面投射型表示装置の側面図である。
【図３】図２の領域Ｒ１の拡大図である。
【図４】保持フィルムと当該保持フィルムの周辺の構成を示す分解斜視図である。
【図５】保持フィルムの配置箇所を示す図である。
【図６】レンチキュラーシートおよびフレネルレンズが一時的に経時変化した状態を示す側面図である。
【図７】本発明の実施の形態１の変形例１に係る保持フィルムの構成を示す図である。
【図８】本発明の実施の形態１の変形例２に係る保持フィルムの構成を示す図である。
【発明を実施するための形態】
【００１５】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１６】
なお、実施の形態において例示される各構成要素の寸法、材質、形状、それらの相対配置などは、本発明が適用される装置の構成や各種条件により適宜変更されるものであり、本発明はそれらの例示に限定されるものではない。また、各図における各構成要素の寸法は、実際の寸法と異なる場合がある。
【００１７】
＜実施の形態１＞
（構成）
図１は、本発明の実施の形態１に係る背面投射型表示装置１００の斜視図である。背面投射型表示装置１００は、単独で使用されたり、複数の背面投射型表示装置１００を並べて構成されるマルチプロジェクターの一部として使用される。
【００１８】
図１において、Ｘ，Ｙ，Ｚ方向の各々は、互いに直交する。以下の図に示されるＸ，Ｙ，Ｚ方向の各々も、互いに直交する。以下においては、Ｘ方向と、当該Ｘ方向の反対の方向（−Ｘ方向）とを含む方向を「Ｘ軸方向」ともいう。また、以下においては、Ｙ方向と、当該Ｙ方向の反対の方向（−Ｙ方向）とを含む方向を「Ｙ軸方向」ともいう。また、以下においては、Ｚ方向と、当該Ｚ方向の反対の方向（−Ｚ方向）とを含む方向を「Ｚ軸方向」ともいう。
【００１９】
また、以下においては、Ｘ軸方向およびＹ軸方向を含む平面を、「ＸＹ面」ともいう。また、以下においては、Ｘ軸方向およびＺ軸方向を含む平面を、「ＸＺ面」ともいう。また、以下においては、Ｙ軸方向およびＺ軸方向を含む平面を、「ＹＺ面」ともいう。
【００２０】
図２は、本発明の実施の形態１に係る背面投射型表示装置１００の側面図である。なお、図２では、各構成要素の一部の形状は簡略化して示されている。また、図２では、背面投射型表示装置１００の構成を分かり易くするために、後述のキャビネット（筐体）６の内部も示している。また、図２では、背面投射型表示装置１００の構成を分かり易くするために、実際には存在する後述の粘着テープ４２は示していない。
【００２１】
図３は、図２の領域Ｒ１の拡大図である。なお、図３では、背面投射型表示装置１００の構成を分かり易くするために、ＹＺ面に平行な部材の一部である、後述の保持板２、後述の保持フィルム４０、後述のフィルム４１、および後述の粘着テープ４２等は、透明化して示している。
【００２２】
図１、図２および図３を参照して、背面投射型表示装置１００は、スクリーン３と、キャビネット６と、投射ユニット７と、ミラー５と、スクリーンフレームＦ１と、保持板２と、フィルム４１と、粘着テープ４２とを備える。
【００２３】
スクリーン３は、透光性を有する。スクリーン３は、入光面３ａと出光面３ｂとを有する。入光面３ａは、光がスクリーン３の内部に侵入する際、当該光が通過する面（界面）である。出光面３ｂは、スクリーン３の内部に侵入した光が出射される面である。
【００２４】
ＸＺ面におけるスクリーン３の形状は、矩形状である。例えば、平面視（ＸＺ面）におけるスクリーン３の形状は、長方形である。なお、スクリーン３の詳細については後述する。キャビネット６は、投射ユニット７、ミラー５等を収容する。
【００２５】
投射ユニット７は、映像光ＬＴ１を出射する。映像光ＬＴ１は、映像を構成する光である。投射ユニット７が出射した映像光ＬＴ１は、ミラー５で反射され、反射された当該映像光ＬＴ１は、スクリーン３の背面である入光面３ａへ投射される。すなわち、背面投射型表示装置１００は、スクリーン３の背面（入光面３ａ）へ映像光ＬＴ１を投射する。入光面３ａへ投射された映像光ＬＴ１は、出光面３ｂから出射される。
【００２６】
ＸＺ面におけるスクリーンフレームＦ１の形状は、矩形状（枠状）である。具体的には、ＸＺ面におけるスクリーンフレームＦ１の形状は、長方形である。スクリーンフレームＦ１は、例えば、ねじ（図示せず）により、キャビネット６に固定される。
【００２７】
保持板２は、スクリーン３を保持する保持部材である。保持板２は、アクリル樹脂等で構成される。図３を参照して、保持板２は、ねじ（図示せず）により、ＸＺ面におけるスクリーンフレームＦ１の４辺の各々に固定（接続）される。保持板２の端部は、図３のように、映像光ＬＴ１の光路と重ならないような形状に加工されている。具体的には、保持板２の端部の形状は、楔状である。
【００２８】
保持フィルム４０は、詳細は後述するが、スクリーン３を保持する部材である。保持フィルム４０は、伸縮性を有する部材（素材）で構成される。保持フィルム４０の形状は、長尺状である。例えば、ＸＹ面またはＹＺ面における保持フィルム４０の形状は、長方形である。保持フィルム４０の厚さは、例えば、３０μｍ程度である。保持フィルム４０は、詳細は後述するが、図１および図２のように、スクリーン３の側面の複数個所に設けられる。
【００２９】
フィルム４１は、詳細は後述するが、各保持フィルム４０を覆うように設けられる。フィルム４１は、ポリエステル等で構成される。フィルム４１の厚さは、例えば、３０μｍ程度である。なお、フィルム４１の幅は、保持フィルム４０の幅より、数ｍｍ程度大きい。例えば、図３に示すように、フィルム４１のＺ軸方向の幅は、保持フィルム４０のＺ軸方向の幅より、数ｍｍ程度大きい。
【００３０】
次に、スクリーン３を保持するための構造について詳細に説明する。図４は、保持フィルム４０と当該保持フィルム４０の周辺の構成を示す分解斜視図である。図４は、一例として、図２に示される３つの保持フィルム４０のうち最下部の保持フィルム４０と、当該保持フィルム４０の周辺の構成を示す。なお、図４では、保持フィルム４０の周辺の構成を分かり易くするために、実際には接している保持フィルム４０、フィルム４１および粘着テープ４２の各々を、離して示している。
【００３１】
図２、図３および図４を参照して、スクリーン３は、レンチキュラーシート３１とフレネルレンズ３２とを含む。ＸＺ面におけるレンチキュラーシート３１のサイズは、ＸＺ面におけるフレネルレンズ３２のサイズと同じである。
【００３２】
レンチキュラーシート３１は、当該レンチキュラーシート３１に入射される光（映像光ＬＴ１）を拡散させる機能を有する。また、レンチキュラーシート３１は、当該レンチキュラーシート３１に入射される映像光ＬＴ１を結像させる機能と、当該映像光ＬＴ１に基づく映像の視野角を向上させる機能とを有する。
【００３３】
フレネルレンズ３２は、当該フレネルレンズ３２に入射される光（映像光ＬＴ１）を平行光に変換する機能を有する。フレネルレンズ３２は、アクリル樹脂等で構成される。すなわち、保持板２およびフレネルレンズ３２は、同じ部材で構成される。
【００３４】
スクリーン３は、レンチキュラーシート３１とフレネルレンズ３２とが貼り合わせて構成される。レンチキュラーシート３１は、スクリーン３のうち映像光ＬＴ１が出射される出光面３ｂ側に設けられる。言い換えれば、レンチキュラーシート３１は、フレネルレンズ３２が外気に接することなく、かつ、当該レンチキュラーシート３１が外気に接するように、設けられる。
【００３５】
なお、フレネルレンズ３２は、入光面３ａである入光面３２ａと、出光面３２ｂとを有する。入光面３２ａは、光（映像光ＬＴ１）がフレネルレンズ３２の内部に侵入する際、当該光が通過する面（界面）である。出光面３２ｂは、フレネルレンズ３２の内部に侵入した光が出射される面である。なお、レンチキュラーシート３１は、出光面３２ｂに当接している。
【００３６】
また、図４のように、フレネルレンズ３２の入光面３２ａ（入光面３ａ）の周縁部には、溶剤を使用した接着材等により、保持板２が固定される。すなわち、入光面３２ａにおける上端部、下端部、左端部、および右端部の各々には、保持板２が固定される。
【００３７】
また、図１〜図４のように、スクリーン３の一部であるレンチキュラーシート３１は、複数の保持フィルム４０により、保持部材である保持板２に固定される。なお、図５のように、当該複数の保持フィルム４０は、平面視（ＸＺ面）におけるスクリーン３の形状である長方形（以下、「長方形Ｘ１」という）の４辺に設けられる。具体的には、複数の保持フィルム４０は、スクリーン３により構成される長方形Ｘ１の２つの短辺の各々の中央部と、当該長方形Ｘ１の２つの長辺の各々の中央部と、当該長方形Ｘ１の２つの短辺の各々の両端部とに設けられる。
【００３８】
なお、前述したように、フィルム４１は、各保持フィルム４０を覆うように設けられる。そのため、複数のフィルム４１も、長方形Ｘ１の２つの短辺の各々の中央部と、長方形Ｘ１の２つの長辺の各々の中央部と、長方形Ｘ１の２つの短辺の各々の両端部とに設けられる。
【００３９】
次に、各保持フィルム４０の固定方法の詳細について説明する。図３のように、各保持フィルム４０の一端部は、接着材５０ａにより、レンチキュラーシート３１の側面に強固に固定（接着）されている。接着材５０ａは、熱により粘着力が生じる接着材、紫外線の照射により粘着力が生じるＵＶ硬化接着材等である。また、各保持フィルム４０の他端部は、接着材５０ｂにより、保持板２に固定されている。接着材５０ｂは、例えば、両面テープである。
【００４０】
また、粘着テープ４２は、平面視（ＸＺ面）におけるスクリーン３の側面全体に接着される。具体的には、粘着テープ４２は、フィルム４１および保持フィルム４０を介して、スクリーン３の側面である、レンチキュラーシート３１の側面およびフレネルレンズ３２の側面を覆うように設けられる。また、粘着テープ４２は、図３のように、レンチキュラーシート３１の側面、フレネルレンズ３２の側面、および保持板２に跨るように設けられる。
【００４１】
（経時変化について）
次に、レンチキュラーシート３１およびフレネルレンズ３２の両方または一方が一時的に経時変化した場合について説明する。図６は、レンチキュラーシート３１およびフレネルレンズ３２が一時的に経時変化した状態を示す側面図である。なお、図６は、図３の状態のレンチキュラーシート３１およびフレネルレンズ３２が経時変化した状態を示す側面図である。当該経時変化は、例えば、線膨張、吸湿等による生じる、レンチキュラーシート３１およびフレネルレンズ３２のサイズの変化である。
【００４２】
以下においては、図３および図６においてＸＹ面に平行な保持フィルム４０を、「保持フィルム４０ｘｙ」ともいう。また、以下においては、図３および図６においてＹＺ面に平行な保持フィルム４０を、「保持フィルム４０ｙｚ」ともいう。また、以下においては、図３および図６においてＸＹ面に平行な粘着テープ４２を、「粘着テープ４２ｘｙ」ともいう。また、以下においては、図３および図６においてＹＺ面に平行な粘着テープ４２を、「粘着テープ４２ｙｚ」ともいう。
【００４３】
ここで、以下の前提Ｚ１における各部材の状態について説明する。前提Ｚ１では、気温が高い夏場の部屋に、背面投射型表示装置１００が配置されている。また、前提Ｚ１では、冷房により、当該部屋の温度が急激に低下したとする。また、前提Ｚ１では、外気に接しているレンチキュラーシート３１が、フレネルレンズ３２より先に収縮を始める。これにより、前提Ｚ１では、図６のように、レンチキュラーシート３１のサイズが、フレネルレンズ３２のサイズより小さくなったとする。その結果、前提Ｚ１では、レンチキュラーシート３１とフレネルレンズ３２との間においてＺ軸方向にずれが発生したとする。
【００４４】
上記の前提Ｚ１の場合、図６のように、スクリーン３の側面（例えば、上端）に段差が発生する。すなわち、レンチキュラーシート３１とフレネルレンズ３２との間に段差が発生する。当該段差の発生に伴い、レンチキュラーシート３１を固定している粘着テープ４２ｘｙにせん断力が加わる。この状態において、当該段差が大きくなると、図６のように、粘着テープ４２ｘｙは、レンチキュラーシート３１（保持フィルム４０ｘｙのうちレンチキュラーシート３１が存在する部分）から剥がれた状態（以下、「剥がれ状態ＳＴ１」ともいう）となる。
【００４５】
なお、前述したように、保持フィルム４０ｘｙは伸縮性を有する。また、保持フィルム４０ｘｙの一端部は、前述したように、接着材５０ａにより、レンチキュラーシート３１の側面に強固に固定（接着）されている。そのため、剥がれ状態ＳＴ１においても、保持フィルム４０ｘｙの伸縮性が働くことにより、保持フィルム４０ｘｙの他端部は、保持板２に固定された状態が維持される。すなわち、剥がれ状態ＳＴ１においても、保持フィルム４０ｘｙがレンチキュラーシート３１を保持した状態が維持される。
【００４６】
また、上記の前提Ｚ１では、前述したように、レンチキュラーシート３１とフレネルレンズ３２との間においてＺ軸方向にずれが発生するため、粘着テープ４２ｙｚにせん断力が発生し、当該せん断力が、粘着テープ４２ｙｚの剥がれの発生原因となる可能性がある。
【００４７】
なお、レンチキュラーシート３１とフレネルレンズ３２との間においてＺ軸方向にずれが発生した場合、保持フィルム４０ｙｚの長手方向（Ｙ軸方向）の中央部において、図６のように、ねじれの力が発生する。しかしながら、保持フィルム４０ｙｚの一端部は、前述したように、接着材５０ａにより、レンチキュラーシート３１の側面に強固に固定（接着）されている。
【００４８】
そのため、保持フィルム４０ｙｚの中央部においてねじれの力が発生しても、保持フィルム４０ｙｚの伸縮性が働くことにより、保持フィルム４０ｙｚの他端部は、保持板２に固定された状態が維持される。すなわち、レンチキュラーシート３１とフレネルレンズ３２との間においてＺ軸方向にずれが発生した場合でも、保持フィルム４０ｙｚがレンチキュラーシート３１を保持した状態が維持される。すなわち、レンチキュラーシート３１がフレネルレンズ３２から剥がれることが防止される。
【００４９】
以上説明したように、本実施の形態によれば、レンチキュラーシート３１は、伸縮性を有する保持フィルム４０により、保持部材である保持板２に固定される。ここで、仮に、外気の状態（温度、湿度等）の変化に伴う、レンチキュラーシート３１の収縮により、スクリーン３の側面に段差が発生し、当該段差の発生に伴い、粘着テープ４２の剥がれが発生したとする。
【００５０】
この場合においても、保持フィルム４０が伸縮性を有するため、当該保持フィルム４０により、レンチキュラーシート３１が保持部材（保持板２）に固定された状態が維持され易い。したがって、レンチキュラーシート３１とフレネルレンズ３２との結合状態が悪化することを抑制することができる。すなわち、スクリーン３の側面の段差の発生に伴う、粘着テープ４２の剥がれが発生した状態においても、レンチキュラーシート３１とフレネルレンズ３２との結合状態が悪化することを抑制することができる。
【００５１】
また、本実施の形態によれば、外気の状態（温度、湿度等）の変化により、一時的に、レンチキュラーシート３１とフレネルレンズ３２との間に段差が発生し、前述の剥がれ状態ＳＴ１が発生した場合でも、保持フィルム４０ｘｙの伸縮性が働くことにより、保持フィルム４０ｘｙがレンチキュラーシート３１を保持した状態が維持される。
【００５２】
以上のように、外気の状態（温度、湿度等）の変化によって、一時的に、レンチキュラーシート３１とフレネルレンズ３２との間に段差が生じた場合でも、保持フィルム４０により、レンチキュラーシート３１が保持された状態が維持される。そのため、レンチキュラーシート３１の脱落（落下）および剥がれ等を防止することができる。
【００５３】
また、本実施の形態によれば、外気の状態（温度、湿度等）の変化により、保持フィルム４０ｙｚの長手方向（Ｙ軸方向）の中央部においてねじれの力が発生した場合でも、保持フィルム４０ｙｚが伸縮性を有するため、保持フィルム４０ｙｚがレンチキュラーシート３１を保持した状態が維持される。すなわち、レンチキュラーシート３１がフレネルレンズ３２から剥がれることが防止される。
【００５４】
また、本実施の形態によれば、レンチキュラーシート３１の出光面（出光面３ｂ）に構造物が配置されない。そのため、映像欠損の発生はなく、良好な映像を得ることができる。
【００５５】
なお、図５において、外気の状態（温度、湿度等）の変化によるスクリーン３の伸縮度合いは、スクリーン３により構成される長方形Ｘ１の長辺に沿ったＸ軸方向の方が、当該長方形Ｘ１の短辺に沿ったＺ軸方向より大きい。そのため、Ｘ軸方向と直交する長方形Ｘ１の短辺は、Ｚ軸方向と直交する当該長方形Ｘ１の長辺よりも、外気の状態の変化により発生する段差が大きくなる。そのため、本実施の形態では、長方形Ｘ１の短辺において、長方形Ｘ１の長辺よりも多くの保持フィルム４０を設けている。
【００５６】
具体的には、複数の保持フィルム４０が、図５のように、スクリーン３により構成される長方形Ｘ１の２つの短辺の各々の中央部と、当該長方形Ｘ１の２つの長辺の各々の中央部と、当該長方形Ｘ１の２つの短辺の各々の両端部とに設けられる。これにより、スクリーン３の保持状態を、より安定的にすることができる。
【００５７】
なお、保持フィルム４０が設けられる位置は、図５の位置に限定されない。例えば、保持フィルム４０は、図５の構成に加え、さらに、長方形Ｘ１の２つの長辺の各々の両端部にも設けられてもよい。すなわち、長方形Ｘ１の各短辺に３つの保持フィルム４０が設けられ、長方形Ｘ１の各長辺に３つの保持フィルム４０が設けられてもよい。
【００５８】
また、長方形Ｘ１の短辺に設けられる保持フィルム４０の数は、３に限定されない。長方形Ｘ１の短辺に設けられる保持フィルム４０の数は、２または１であってもよい。
【００５９】
また、保持フィルム４０は、長方形Ｘ１を構成する４つの辺全てに設けられなくてもよい。例えば、保持フィルム４０は、長方形Ｘ１の各長辺に設けられず、当該長方形Ｘ１の各短辺のみに設けられてもよい。また、例えば、保持フィルム４０は、長方形Ｘ１の２つの長辺の一方と、当該長方形Ｘ１の各短辺とに設けられてもよい。
【００６０】
また、レンチキュラーシート３１は、複数の保持フィルム４０により、保持部材である保持板２に固定される構成に限定されない。レンチキュラーシート３１は、１つの保持フィルム４０により、保持部材である保持板２に固定されてもよい。
【００６１】
なお、関連技術Ａ、Ｂでは、前述したように、外気の状態（温度、湿度）の変化により、レンチキュラーシートとフレネルレンズとが貼り合わせて構成されるスクリーンの側面に段差が発生する。その結果、レンチキュラーシートの脱落、レンチキュラーシートの部分的な剥がれ等が発生する恐れがあるという問題点がある。
【００６２】
また、関連技術Ｂでは、スクリーンの側面に段差が発生し、当該側面に設けられた粘着テープが剥がれた状況において、レンチキュラーシートが、スクリーンの前面側へ剥がれることを防止する構成（以下、「構成Ｎ」という）が記載されている。
【００６３】
構成Ｎでは、スクリーン保持金具の端部に曲げ部が設けられる。当該曲げ部は、スクリーン（レンチキュラーシート）の前面（出光面）の端に係合（当接）される。すなわち、曲げ部がスクリーン（レンチキュラーシート）の出光面に設けられるため、当該曲げ部による映像欠損が発生するという問題点がある。
【００６４】
また、スクリーン保持金具は、所定の厚さを有している。そのため、複数の背面投射型表示装置を行列状に並べてマルチ画面を構成した場合、隣接した各スクリーンの間に存在する、映像が出ない部分（目地）の寸法が大きくなるという問題点がある。
【００６５】
そこで、本実施の形態は上記のように構成されるため、関連技術Ａ、Ｂの上記問題点を解決することができる。
【００６６】
例えば、本実施の形態によれば、レンチキュラーシート３１の出光面（出光面３ｂ）にスクリーン保持金具等の固定部材（構造物）が配置されない。そのため、本実施の形態によれば、関連技術Ｂのように映像欠損が発生することなく、良好な映像を得ることができる。
【００６７】
＜実施の形態１の変形例１＞
本変形例の構成は、保持フィルム４０がねじれの力に対応可能な形状を有する構成（以下、「変形構成Ａ」ともいう）である。以下においては、変形構成Ａを適用した保持フィルム４０を、「保持フィルム４０Ａ」ともいう。
【００６８】
図７は、本発明の実施の形態１の変形例１に係る保持フィルム４０Ａの構成を示す図である。また、図７は、図３の構成における保持フィルム４０を、保持フィルム４０Ａと置き換えた構成を示す。なお、図７では、図の簡略化のため、一部の構成物を示していない。当該一部の構成物は、例えば、粘着テープ４２ｘｙ、保持フィルム４０ｘｙ、粘着テープ４２ｙｚ等である。
【００６９】
保持フィルム４０Ａは、図３の保持フィルム４０と比較して、一部の形状のみが異なる。保持フィルム４０Ａのそれ以外の構成および機能は、保持フィルム４０と同様であるので詳細な説明は繰り返さない。
【００７０】
以下、保持フィルム４０Ａの形状について説明する。保持フィルム４０Ａの形状は、保持フィルム４０と同様、長尺状である。また、保持フィルム４０Ａの長手方向（Ｙ軸方向）の中央部の幅は、当該保持フィルム４０Ａの長手方向（Ｙ軸方向）の端部の幅より小さい。例えば、保持フィルム４０Ａの形状は、保持フィルム４０の長手方向（Ｙ軸方向）の中央部に凹部Ｖ１（くびれ）を設けた形状である。
【００７１】
以上説明したような構成により、本変形例による保持フィルム４０Ａは、外気の状態（温度、湿度等）の変化により、レンチキュラーシート３１のＺ軸方向のサイズが、フレネルレンズ３２のＺ軸方向のサイズと異なった場合に生じるねじれの力を吸収することができる。これにより、保持フィルム４０Ａは、当該保持フィルム４０Ａに対しねじれの力が生じた場合においても、実施の形態１よりも安定的に、レンチキュラーシート３１を保持した状態を維持することができる。すなわち、本変形例によれば、実施の形態１よりも安定して、スクリーン３を保持することができる。
【００７２】
＜実施の形態１の変形例２＞
本変形例の構成は、保持フィルム４０がねじれの力に対応可能な形状を有する、変形構成Ａとは異なる構成（以下、「変形構成Ｂ」ともいう）である。以下においては、変形構成Ｂを適用した保持フィルム４０を、「保持フィルム４０Ｂ」ともいう。
【００７３】
図８は、本発明の実施の形態１の変形例２に係る保持フィルム４０Ｂの構成を示す図である。また、図８は、図７の構成における保持フィルム４０Ａを、保持フィルム４０Ｂと置き換えた構成を示す。
【００７４】
保持フィルム４０Ｂは、図３の保持フィルム４０と比較して、一部の構成のみが異なる。保持フィルム４０Ｂのそれ以外の構成および機能は、保持フィルム４０と同様であるので詳細な説明は繰り返さない。
【００７５】
以下、保持フィルム４０Ｂの構成について具体的に説明する。保持フィルム４０Ｂの形状は、保持フィルム４０と同様、長尺状である。また、保持フィルム４０Ｂの長手方向（Ｙ軸方向）の中央部には、複数のスリットＳＬ１が設けられる。各スリットＳＬ１は、保持フィルム４０Ｂの長手方向（Ｙ軸方向）に沿って延在する。
【００７６】
なお、保持フィルム４０Ｂに設けられるスリットＳＬ１の数は、複数に限定されず、１であってもよい。
【００７７】
以上説明したような構成により、本変形例による保持フィルム４０Ｂは、実施の形態１の変形例１と同様な効果が得られる。すなわち、保持フィルム４０Ｂは、外気の状態（温度、湿度等）の変化により、レンチキュラーシート３１のＺ軸方向のサイズが、フレネルレンズ３２のＺ軸方向のサイズと異なった場合に生じるねじれの力を吸収することができる。これにより、保持フィルム４０Ｂは、当該保持フィルム４０Ｂに対しねじれの力が生じた場合においても、実施の形態１よりも安定的に、レンチキュラーシート３１を保持した状態を維持することができる。
【００７８】
なお、本発明は、その発明の範囲内において、実施の形態、実施の形態の各変形例を自由に組み合わせたり、実施の形態、実施の形態の各変形例を適宜、変形、省略することが可能である。
【００７９】
例えば、実施の形態１、および実施の形態１の変形例１，２の全てまたは一部において、フィルム４１を使用しない構成（以下、「変形構成Ｘ１」ともいう）としてもよい。すなわち、変形構成Ｘ１では、粘着テープ４２は、直接、保持フィルム４０（４０Ａ，４０Ｂ）に接する。つまり、変形構成Ｘ１では、粘着テープ４２は、保持フィルム４０（４０Ａ，４０Ｂ）を介して、スクリーン３の側面である、レンチキュラーシート３１の側面およびフレネルレンズ３２の側面を覆うように設けられる。
【００８０】
また、例えば、実施の形態１、および実施の形態１の変形例１，２の全てまたは一部において、保持板２を使用しない構成（以下、「変形構成Ｘ２」ともいう）としてもよい。変形構成Ｘ２では、実施の形態１、および実施の形態１の変形例１，２の全てまたは一部において、「保持板２」を「スクリーンフレームＦ１」と置き換えた構成である。すなわち、変形構成Ｘ２では、スクリーン３は、スクリーンフレームＦ１により、保持される。つまり、変形構成Ｘ２では、スクリーンフレームＦ１は、スクリーン３を保持する保持部材である。
【００８１】
また、変形構成Ｘ２では、スクリーン３の一部であるレンチキュラーシート３１は、複数の保持フィルム４０により、保持部材であるスクリーンフレームＦ１に固定される。具体的には、各保持フィルム４０の一端部は、接着材５０ａにより、レンチキュラーシート３１の側面に強固に固定（接着）されている。また、各保持フィルム４０の他端部は、接着材５０ｂにより、スクリーンフレームＦ１に固定されている。
【００８２】
なお、変形構成Ｘ２では、レンチキュラーシート３１は、複数の保持フィルム４０により、保持部材であるスクリーンフレームＦ１に固定される構成に限定されない。レンチキュラーシート３１は、１つの保持フィルム４０により、保持部材であるスクリーンフレームＦ１に固定されてもよい。
【００８３】
また、実施の形態１、実施の形態１の変形例１，２の全てまたは一部では、上記の変形構成Ｘ１と上記の変形構成Ｘ２とを組み合わせた構成としてもよい。
【符号の説明】
【００８４】
２  保持板、３  スクリーン、３１  レンチキュラーシート、３２  フレネルレンズ、４０，４０Ａ，４０Ｂ，４０ｘｙ，４０ｙｚ  保持フィルム、４２，４２ｘｙ，４２ｙｚ  粘着テープ、５０ａ，５０ｂ  接着材、１００  背面投射型表示装置、Ｆ１  スクリーンフレーム、ＳＬ１  スリット、Ｖ１  凹部。
【図１】
0006425494.tif 000002
【図２】
0006425494.tif 000003
【図３】
0006425494.tif 000004
【図４】
0006425494.tif 000005
【図５】
0006425494.tif 000006
【図６】
0006425494.tif 000007
【図７】
0006425494.tif 000008
【図８】
0006425494.tif 000009